(57)【要約】【課題】本発明は、列車内の端末装置を公衆通信網に安全に接続可能にする通信システム、通信システムの通信方法、端末装置、端末装置の通信方法、端末装置の通信プログラム、車両外中継器、車両外中継器の通信方法、車両外中継器の通信プログラム、認証サーバ及び認証サーバの通信方法の提供を目的とする。【解決手段】本願発明の通信システムは、無線通信を行う端末装置１と、端末装置１を輸送する輸送車両の経路周辺に設置され、端末装置１と無線通信を行い、端末装置１の認証情報を送信し、端末装置１と公衆通信網５を中継する車両外中継器２と、車両外中継器２からの認証情報を受信し、受信した認証情報が予め登録された認証情報と一致するか否かを判定し、一致すると判定した端末装置１を公衆通信網５に接続する認証サーバ３と、を備える。【選択図】図１
2011124781.tif 000002
【特許請求の範囲】
【請求項１】
無線通信を行う端末装置と、
前記端末装置を輸送する輸送車両の経路周辺に設置され、前記端末装置と無線通信を行い、前記端末装置の認証情報を送信し、前記端末装置と公衆通信網を中継する車両外中継器と、
前記車両外中継器からの認証情報を受信し、受信した認証情報が予め登録された認証情報と一致するか否かを判定し、一致すると判定した前記端末装置を公衆通信網に接続する認証サーバと、
を備える通信システム。
【請求項２】
端末装置の認証情報を輸送車両の経路周辺に設置された車両外中継器に送信し、前記認証情報を前記車両外中継器から認証サーバに転送し、転送された前記認証情報が予め登録された認証情報と一致するか否かを前記認証サーバで判定し、一致すると判定した場合には、前記端末装置を公衆通信網に接続する接続手順を有する通信システムの通信方法。
【請求項３】
輸送車両の経路周辺に設置される車両外中継器と通信を行い、前記車両外中継器に認証情報を送信し、前記認証情報が認証サーバで一致すると判定されると、前記車両外中継器を介して公衆通信網と接続される端末中継器間通信部
を備える端末装置。
【請求項４】
輸送車両の経路周辺に設置される車両外中継器と通信を行い、前記車両外中継器に認証情報を送信し、前記認証情報が認証サーバで一致すると判定されると、前記車両外中継器を介して公衆通信網と接続される端末接続手順
を有する端末装置の通信方法。
【請求項５】
端末中継器間通信部が、輸送車両の経路周辺に設置される車両外中継器と通信を行い、前記車両外中継器に認証情報を送信し、前記認証情報が認証サーバで一致すると判定されると、前記車両外中継器を介して公衆通信網と接続される端末接続手順
を端末装置に実行させる端末装置の通信プログラム。
【請求項６】
輸送車両内の端末装置から前記端末装置の認証情報を受信し、前記端末装置と公衆通信網の間の通信を中継する中継器端末間通信部と、
前記中継器端末間通信部の受信する認証情報を認証サーバに送信し、前記認証情報が認証サーバで一致すると判定されると、前記端末装置と公衆通信網の間の通信を中継する中継器サーバ間通信部と、
を備える車両外中継器。
【請求項７】
端末装置の認証情報を受信し、前記認証情報を認証サーバに転送し、転送された前記認証情報が予め登録された認証情報と一致すると判定されると、前記端末装置と公衆通信網の間の通信を中継する中継手順を有する車両外中継器の通信方法。
【請求項８】
中継器端末間通信部が端末装置の認証情報を受信し、中継器サーバ間通信部が前記認証情報を認証サーバに転送し、転送された前記認証情報が予め登録された認証情報と一致すると判定されると、前記中継器端末間通信部及び前記中継器サーバ間通信部が前記端末装置と公衆通信網の間の通信を中継する中継手順を車両外中継器に実行させる車両外中継器の通信プログラム。
【請求項９】
端末装置を輸送する輸送車両の経路周辺に設置された車両外中継器から、前記端末装置の認証情報を受信するサーバ中継器間通信部と、
前記サーバ中継器間通信部の受信した前記認証情報が予め登録された認証情報と一致するか否かを判定する認証部と、
前記認証部が一致すると判定すると、前記端末装置と公衆通信網を接続する公衆通信網間通信部と、
を備える認証サーバ。
【請求項１０】
端末装置の輸送車両の経路周辺に設置された車両外中継器から送信された前記端末装置の認証情報を受信し、受信した前記認証情報が予め登録された認証情報と一致するか否かを判定し、一致すると判定した場合には前記端末装置と公衆通信網を接続する公衆通信網接続手順を有する認証サーバの通信方法。
【発明の詳細な説明】
【技術分野】
【０００１】
本発明は、通信システム及び通信方法に関し、特に無線ＬＡＮ（Ｌｏｃａｌ  Ａｒｅａ  Ｎｅｔｗｏｒｋ）を介して公衆通信網に接続する通信システム及び通信方法に関する。
【背景技術】
【０００２】
最近の端末装置はＷＬＡＮ（Ｗｉｒｅｌｅｓｓ  Ｌｏｃａｌ  Ａｒｅａ  Ｎｅｔｗｏｒｋ）機能を搭載する傾向がある。ＷＬＡＮは無料でサービスを受けられるが、安心してインターネットなどの公衆通信網と接続をするためには、スピーディかつ高セキュリティの接続の実現が必要となる。解決方法のひとつとしては、ＷＩＳＰｒを実行する機能を搭載することが考えられる。ＷＩＳＰｒはＷｉｒｅｌｅｓｓ  ＩＳＰ  ｒｏａｍｉｎｇの略で、端末装置が公衆アクセスポイントに帰属する際に自動でユーザ認証を行う国際ローミング規格である。よくある使用シーンとして、市販の１デイパスポートを使い、端末装置を公衆アクセスポイントに無線ＬＡＮ接続する。これにより、端末装置は、無線ＬＡＮを介して公衆通信網に接続し、公衆通信網から色々な情報を入手したり、情報を伝達したりすることを可能にする。
【０００３】
公衆アクセスポイントの位置は駅周辺又は駅の構内にあり、端末装置が公衆アクセスポイントと通信可能な地域内で通信を行うことが一般的である。列車が公衆アクセスポイントと通信可能な地域内であれば、列車内の端末装置もＷＬＡＮを用いて公衆通信網に接続することができる。しかし、列車が移動すると、公衆アクセスポイントとの接続ができなくなるため、端末装置はＷＬＡＮを用いて公衆通信網に接続することができない。
【０００４】
解決方法として、列車の中に中継局を設置し、中継器を介して通信することが提案されている（例えば、特許文献１から６参照。）。特許文献１から６のシステムは、端末装置と、中継局と、からなり、以下のように動作する。端末装置は、列車内の中継器にアクセスする。中継局は、列車外の基地局と通信する。これにより、列車内の端末装置は、公衆通信網に接続する。特許文献１、５、６のシステムでは、列車内の中継局は互いに情報を授受する。特許文献１、２のシステムでは、列車内の中継局は、列車内の端末装置を駅構内又は駅周辺の公衆アクセスポイントに接続する。
【先行技術文献】
【特許文献】
【０００５】
【特許文献１】ＷＯ２００６１００７１４号公報
【特許文献２】特開２００２−３４４４７８号公報
【特許文献３】特開２００８−１６７２７０号公報
【特許文献４】特開平９−０８４１２６号公報
【特許文献５】特許４１３４６９６号公報
【特許文献６】特許４３２０９５３号公報
【発明の概要】
【発明が解決しようとする課題】
【０００６】
しかしながら、上述の特許文献１から６のシステムでは、セキュリティの問題を解決できなかった。そこで、本発明は、この問題を解決するため、列車内の端末装置を公衆通信網に安全に接続可能にする通信システム、通信システムの通信方法、端末装置、端末装置の通信方法、端末装置の通信プログラム、車両外中継器、車両外中継器の通信方法、車両外中継器の通信プログラム、認証サーバ及び認証サーバの通信方法の提供を目的とする。
【課題を解決するための手段】
【０００７】
本願発明の通信システムは、無線通信を行う端末装置と、前記端末装置を輸送する輸送車両の経路周辺に設置され、前記端末装置と無線通信を行い、前記端末装置の認証情報を送信し、前記端末装置と公衆通信網を中継する車両外中継器と、前記車両外中継器からの認証情報を受信し、受信した認証情報が予め登録された認証情報と一致するか否かを判定し、一致すると判定した前記端末装置を公衆通信網に接続する認証サーバと、を備える。
【０００８】
本願発明の通信システムの通信方法は、端末装置の認証情報を輸送車両の経路周辺に設置された車両外中継器に送信し、前記認証情報を前記車両外中継器から認証サーバに転送し、転送された前記認証情報が予め登録された認証情報と一致するか否かを前記認証サーバで判定し、一致すると判定した場合には、前記端末装置を公衆通信網に接続する接続手順を有する。
【０００９】
本願発明の端末装置は、輸送車両の経路周辺に設置される車両外中継器と通信を行い、前記車両外中継器に認証情報を送信し、前記認証情報が認証サーバで一致すると判定されると、前記車両外中継器を介して公衆通信網と接続される端末中継器間通信部を備える。
【００１０】
本願発明の端末装置の通信方法は、輸送車両の経路周辺に設置される車両外中継器と通信を行い、前記車両外中継器に認証情報を送信し、前記認証情報が認証サーバで一致すると判定されると、前記車両外中継器を介して公衆通信網と接続される端末接続手順を有する。
【００１１】
本願発明の端末装置の通信プログラムは、端末中継器間通信部が、輸送車両の経路周辺に設置される車両外中継器と通信を行い、前記車両外中継器に認証情報を送信し、前記認証情報が認証サーバで一致すると判定されると、前記車両外中継器を介して公衆通信網と接続される端末接続手順を端末装置に実行させる。
【００１２】
本願発明の車両外中継器は、輸送車両内の端末装置から前記端末装置の認証情報を受信し、前記端末装置と公衆通信網の間の通信を中継する中継器端末間通信部と、前記中継器端末間通信部の受信する認証情報を認証サーバに送信し、前記認証情報が認証サーバで一致すると判定されると、前記端末装置と公衆通信網の間の通信を中継する中継器サーバ間通信部と、を備える。
【００１３】
本願発明の車両外中継器の通信方法は、端末装置の認証情報を受信し、前記認証情報を認証サーバに転送し、転送された前記認証情報が予め登録された認証情報と一致すると判定されると、前記端末装置と公衆通信網の間の通信を中継する中継手順を有する。
【００１４】
本願発明の車両外中継器の通信プログラムは、中継器端末間通信部が端末装置の認証情報を受信し、中継器サーバ間通信部が前記認証情報を認証サーバに転送し、転送された前記認証情報が予め登録された認証情報と一致すると判定されると、前記中継器端末間通信部及び前記中継器サーバ間通信部が前記端末装置と公衆通信網の間の通信を中継する中継手順を車両外中継器に実行させる。
【００１５】
本願発明の認証サーバは、端末装置を輸送する輸送車両の経路周辺に設置された車両外中継器から、前記端末装置の認証情報を受信するサーバ中継器間通信部と、前記サーバ中継器間通信部の受信した前記認証情報が予め登録された認証情報と一致するか否かを判定する認証部と、前記認証部が一致すると判定すると、前記端末装置と公衆通信網を接続する公衆通信網間通信部と、を備える。
【００１６】
本願発明の認証サーバの通信方法は、端末装置の輸送車両の経路周辺に設置された車両外中継器から送信された前記端末装置の認証情報を受信し、受信した前記認証情報が予め登録された認証情報と一致するか否かを判定し、一致すると判定した場合には前記端末装置と公衆通信網を接続する公衆通信網接続手順を有する。
【発明の効果】
【００１７】
本発明によれば、列車内の端末装置を公衆通信網に安全に接続可能にする通信システム、通信システムの通信方法、端末装置、端末装置の通信方法、端末装置の通信プログラム、車両外中継器、車両外中継器の通信方法、車両外中継器の通信プログラム、認証サーバ及び認証サーバの通信方法を提供することができる。
【図面の簡単な説明】
【００１８】
【図１】実施形態１に係る通信システムの一例を示す。
【図２】実施形態１に係る通信システムの通信方法の一例を示すフローチャートである。
【図３】実施形態１に係る端末装置の通信方法の一例を示すフローチャートである。
【図４】実施形態１に係る車両外中継器の通信方法の一例を示すフローチャートである。
【図５】実施形態１に係る認証サーバの通信方法の一例を示すフローチャートである。
【図６】実施形態２に係る通信システムの一例を示す。
【図７】実施形態２に係る通信システムの通信方法の一例を示すフローチャートである。
【図８】実施形態３に係る通信システムの一例を示す。
【図９】実施形態４に係る通信システムの一例を示す。
【図１０】実施形態５に係る通信システムの一例を示す。
【図１１】３つの車両を有する列車が３つの駅に停車した場合の概略図である。
【発明を実施するための形態】
【００１９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２０】
（実施形態１）
図１に、実施形態１に係る通信システムの一例を示す。実施形態１に係る通信システムは、端末装置１と、車両外中継器２と、認証サーバ３と、を備える。端末装置１は、例えば携帯電話である。車両外中継器２は、無線ＬＡＮを用いて公衆通信網５との接続を可能にする通信装置である。車両外中継器２を用いることで無線ＬＡＮを用いて公衆通信網５との接続が可能になっている場所は、例えば、ホットスポット（登録商標）である。
【００２１】
端末装置１は、無線通信を行う。車両外中継器２は、端末装置１を輸送する輸送車両の経路周辺に設置され、端末装置１と無線通信を行い、端末装置１の認証情報を認証サーバ３に送信し、端末装置１と公衆通信網５を中継する。認証サーバ３は、車両外中継器２からの認証情報を受信し、受信した認証情報が予め登録された認証情報と一致するか否かを判定し、一致すると判定した端末装置１を公衆通信網５に接続する。
【００２２】
ここで、輸送車両は、例えば列車である。認証サーバ３は、例えばＩＳＰ（Ｉｎｔｅｒｎｅｔ  Ｓｅｒｖｉｃｅ  Ｐｒｏｖｉｄｅｒ）サーバである。公衆通信網５は、たとえばインターネットである。端末装置１と認証サーバ３は、例えば、ＷＬＡＮ上でＷＩＳＰｒを用いて通信を行う。認証情報は、例えば端末装置１の識別情報、及び端末装置１のユーザの設定したパスワードである。端末装置１の識別情報及びパスワードは、認証サーバ３に予め登録されている。
【００２３】
認証サーバ３が端末装置１のユーザ認証を行うため、列車内の端末装置１を公衆通信網５に安全に接続することができる。これにより、端末装置１のユーザは安心して公衆通信網５を利用することができる。また、ＷＬＡＮを用いることが可能であるため、無料で色々なサービスを受けることが可能となる。さらに、車両内の端末装置１が車両外中継器２と通信を行うことができるため、車両外中継器２の発信する情報を車両外中継器２の通信エリアに直接行くことなく入手することができる。
【００２４】
実施形態１に係る通信システムは、実施形態１に係る通信システムの通信方法を実行する。図２は、実施形態１に係る通信システムの通信方法の一例を示すフローチャートである。実施形態１に係る通信システムの通信方法は、接続手順Ｓ１０１を有する。
【００２５】
接続手順Ｓ１０１では、端末装置１の認証情報を輸送車両の経路周辺に設置された車両外中継器２に送信し、認証情報を車両外中継器２から認証サーバ３に転送し、転送された認証情報が予め登録された認証情報と一致するか否かを認証サーバ３で判定し、一致すると判定した場合には、端末装置１を公衆通信網５に接続する。本手順を実行することで、認証サーバ３は端末装置１のユーザ認証を行うことができる。これにより、列車内の端末装置１を公衆通信網５に安全に接続することができる。
【００２６】
端末装置１は、端末中継器間通信部１１を備える。端末中継器間通信部１１は、輸送車両の経路周辺に設置される車両外中継器２と通信を行い、車両外中継器２に認証情報を送信し、認証情報が認証サーバ３で一致すると判定されると、車両外中継器２を介して公衆通信網５と接続する。端末中継器間通信部１１を備えることで、認証サーバ３が端末装置１のユーザ認証を行うことができる。これにより、列車内の端末装置１を公衆通信網５に安全に接続することができる。
【００２７】
端末装置１は、実施形態１に係る端末装置の通信方法を実行する。図３は、実施形態１に係る端末装置の通信方法の一例を示すフローチャートである。実施形態１に係る端末装置の通信方法は、端末接続手順Ｓ１１１を有する。
【００２８】
端末接続手順Ｓ１１１では、端末中継器間通信部１１が、輸送車両の経路周辺に設置される車両外中継器２と通信を行い、車両外中継器２に認証情報を送信し、認証情報が認証サーバ３で一致すると判定されると、車両外中継器２を介して公衆通信網５と接続する。本手順を実行することで、認証サーバ３は端末装置１のユーザ認証を行うことができる。これにより、列車内の端末装置１を公衆通信網５に安全に接続することができる。
【００２９】
なお、端末装置１は、実施形態１に係る端末装置の通信プログラムを実行することで実現してもよい。この場合、図３に示すフローチャートを端末装置１に実行させる。
【００３０】
車両外中継器２は、中継器端末間通信部２１と、中継器サーバ間通信部２２と、を備える。中継器端末間通信部２１は、輸送車両内の端末装置１から端末装置１の認証情報を受信し、端末装置１と公衆通信網５の間の通信を中継する。中継器サーバ間通信部２２は、中継器端末間通信部２１の受信する認証情報を認証サーバ３に送信し、認証情報が認証サーバ３で一致すると判定されると、端末装置１と公衆通信網５の間の通信を中継する。中継器端末間通信部２１及び中継器サーバ間通信部２２を備えることで、認証サーバ３が端末装置１のユーザ認証を行うことができる。これにより、列車内の端末装置１を公衆通信網５に安全に接続することができる。
【００３１】
車両外中継器２は、実施形態１に係る車両外中継器の通信方法を実行する。図４は、実施形態１に係る車両外中継器の通信方法の一例を示すフローチャートである。実施形態１に係る車両外中継器の通信方法は、中継手順Ｓ１２１を有する。
【００３２】
中継手順Ｓ１２１では、中継器端末間通信部２１が端末装置１の認証情報を受信し、中継器サーバ間通信部２２が認証情報を認証サーバ３に転送し、転送された認証情報が予め登録された認証情報と一致すると判定されると、中継器端末間通信部２１及び中継器サーバ間通信部２２が端末装置１と公衆通信網５の間の通信を中継する。本手順を実行することで、認証サーバ３は端末装置１のユーザ認証を行うことができる。これにより、列車内の端末装置１を公衆通信網５に安全に接続することができる。
【００３３】
なお、車両外中継器２は、実施形態１に係る車両外中継器の通信プログラムを実行することで実現してもよい。この場合、図４に示すフローチャートを車両外中継器２に実行させる。
【００３４】
認証サーバ３は、サーバ中継器間通信部３２と、認証部３３と、公衆通信網間通信部３４と、を備える。サーバ中継器間通信部３２は、端末装置１を輸送する輸送車両の経路周辺に設置された車両外中継器２から、端末装置１の認証情報を受信する。認証部３３は、サーバ中継器間通信部３２の受信した認証情報が予め登録された認証情報と一致するか否かを判定する。公衆通信網間通信部３４は、認証部３３が一致すると判定すると、端末装置１と公衆通信網５を接続する。認証サーバ３がサーバ中継器間通信部３２、認証部３３及び公衆通信網間通信部３４と、を備えることで、認証サーバ３が端末装置１のユーザ認証を行うことができる。これにより、列車内の端末装置１を公衆通信網５に安全に接続することができる。
【００３５】
認証サーバ３は、実施形態１に係る認証サーバの通信方法を実行する。図５は、実施形態１に係る認証サーバの通信方法の一例を示すフローチャートである。実施形態１に係る認証サーバの通信方法は、公衆通信網接続手順Ｓ１３１を有する。
【００３６】
公衆通信網接続手順Ｓ１３１では、端末装置１の輸送車両の経路周辺に設置された車両外中継器２から送信された端末装置１の認証情報をサーバ中継器間通信部３２が受信し、受信した認証情報が予め登録された認証情報と一致するか否かを認証部３３が判定し、一致すると判定した場合には公衆通信網間通信部３４が端末装置１と公衆通信網５を接続する。本手順を実行することで、認証サーバ３は端末装置１のユーザ認証を行うことができる。これにより、列車内の端末装置１を公衆通信網５に安全に接続することができる。
【００３７】
なお、認証サーバ３は、実施形態１に係る認証サーバの通信プログラムを実行することで実現してもよい。この場合、図５に示すフローチャートを認証サーバ３に実行させる。
【００３８】
（実施形態２）
図６に、実施形態２に係る通信システムの一例を示す。実施形態２に係る通信システムは、実施形態１に係る通信システムに、さらに、車両内中継器６ａ及び車両内中継器６ｂを備える。端末装置１は、選択部１５をさらに備える。
【００３９】
実施形態２に係る通信システムは、実施形態２に係る通信システムの通信方法を実行する。図７は、実施形態２に係る通信システムの通信方法の一例を示すフローチャートである。実施形態２に係る通信システムは、中継器選択手順Ｓ１０２を、図２に示す接続手順Ｓ１０１の前にさらに有する。
【００４０】
図６に示す車両内中継器６ａ及び車両内中継器６ｂは、輸送車両内に設置され、互いに通信可能である。端末装置１は、車両内中継器６ａに端末装置１の認証情報を送信する。車両内中継器６ａは、端末装置１の認証情報を受信して車両内中継器６ｂに送信する。車両内中継器６ｂは、車両外中継器２に端末装置１の認証情報を車両外中継器２へ送信し、端末装置１及び車両外中継器２間の通信を中継する。車両外中継器２は、車両内中継器６ｂからの認証情報を認証サーバ３へ送信し、車両内中継器６ｂ及び認証サーバ３間の通信を中継する。
【００４１】
端末装置１が車両内中継器６ａのみと接続可能であり、かつ、車両内中継器６ａ及び車両内中継器６ｂのうち車両内中継器６ｂのみが車両外中継器２との接続可能である場合であっても、端末装置１は、公衆通信網５に接続することができる。また、端末装置１は、車両内中継器６ａが接続可能な車両外中継器２の発信する情報と、車両内中継器６ｂが接続可能な車両外中継器２の発信する情報の両方を取得することができる。
【００４２】
この場合、図７に示す接続手順Ｓ１０１において、端末装置１の認証情報を輸送車両内に設置された車両内中継器６ａに送信し、認証情報を車両内中継器６ｂから車両外中継器２に転送する。その後に、認証情報を車両外中継器２から認証サーバ３に転送する。
【００４３】
この場合、図３に示す端末接続手順Ｓ１１１において、端末中継器間通信部１１は、輸送車両内に設置される車両内中継器６ａと通信を行う。そして、車両内中継器６ａ、車両内中継器６ｂ及び車両外中継器２を中継して認証サーバ３に送信された認証情報が一致すると判定されると、端末中継器間通信部１１は、車両内中継器６ａ、車両内中継器６ｂ及び車両外中継器２を介して公衆通信網５と接続される。
【００４４】
この場合、図４に示す中継手順Ｓ１２１において、中継器端末間通信部２１は、輸送車両内に設置される車両内中継器６ａ及び車両内中継器６ｂを介して端末装置１の認証情報を受信し、車両内中継器６ｂと公衆通信網５の間の通信を中継する。
【００４５】
また、図６に示す端末装置１は、車両内中継器６ａと無線通信を行うか又は車両外中継器２と無線通信を行うかを選択可能であってもよい。車両内中継器６ａと無線通信を行う場合と車両外中継器２と無線通信を行う場合とでは、通信環境が異なる場合がある。この場合に、車両内中継器６ａ及び車両外中継器２のうちのいずれと接続するのかが選択可能であることで、端末装置１はよりよい状態で通信を行うことができる。
【００４６】
この場合、図７に示す中継器選択手順Ｓ１０２において、選択部１５が、車両内中継器６ａと無線通信を行うか又は輸送車両の経路周辺に設置された車両外中継器２と無線通信を行うかを選択する。
【００４７】
この場合、図３に示す端末接続手順Ｓ１１１において、選択部１５が、車両内中継器６ａと無線通信を行うか又は車両外中継器２と無線通信を行うかを選択する。
【００４８】
（実施形態３）
図８に、実施形態３に係る通信システムの一例を示す。実施形態３に係る通信システムでは、端末装置１が携帯電話１０１であり、車両外中継器２がＷＩＳＰｒを利用したホットスポットのアクセスポイント１０２であり、認証サーバ３がＩＳＰ認証サーバ１０３であり、公衆通信網５がインターネット１０５である場合について説明する。アクセスポイント１０２は、例えばマクドナルド（登録商標）などの店内又はｋｉｏｓｋ（登録商標）などの駅構内の店に設置されている。
【００４９】
ユーザが使用している携帯電話１０１はＷＬＡＮ機能を搭載している。携帯電話１０１は、ホットスポット１００内のアクセスポイント１０２と通信を行い、アクセスポイント１０２に帰属したら、ＩＤ及びパスワードの入力を行う。これにより、携帯電話１０１は、ＩＳＰ認証サーバ１０３との間で接続認証を行うことができる。ＩＳＰ認証サーバ１０３は、ＩＳＰ顧客情報ＤＢ（Ｄａｔａｂａｓｅ）１０４を参照して携帯電話１０１の承認を行い、携帯電話１０１をインターネット１０５と接続する。これにより、ユーザは、ＷＬＡＮ機能搭載の携帯電話１０１をインターネット１０５に接続することができる。
【００５０】
（実施形態４）
図９に、実施形態４に係る通信システムの一例を示す。実施形態４に係る通信システムでは、端末装置１が携帯電話１０１であり、車両内中継器６ａ及び車両内中継器６ｂが中継局１０６であり、公衆通信網５がインターネット１０５である場合について説明する。
【００５１】
列車９００に中継局１０６が設置されている。携帯端末１０１は、ＷＬＡＮ機能を用いて中継局１０６と接続する。中継局１０６は近くのホットスポット１００内のアクセスポイント１０２と繋がる。これにより、列車９００内の携帯端末１０１は、ＷＬＡＮを用いて、インターネット１０５と接続することができる。
【００５２】
中継局１０６の受信感度が高い場合、中継局１０６は、駅構内又は駅周辺のホットスポットのアクセスポイント１０２と繋がる。列車内の携帯端末１０１は、列車９００にある中継局１０６を介して、ＷＩＳＰｒによるインターネット１０５に接続することができる。
【００５３】
（実施形態５）
図１０に、実施形態５に係る通信システムの一例を示す。実施形態５に係る通信システムでは、端末装置１がＷＬＡＮ機能搭載の携帯電話１０１であり、車両内中継器６ａ及び車両内中継器６ｂが中継局１０６ａ、中継局１０６ｂ及び中継局１０６ｃであり、公衆通信網５がインターネット１０５である場合について説明する。
【００５４】
中継局１０６ａ、中継局１０６ｂ及び中継局１０６ｃは、各車両に設置される。例えば、車両８００ａ、車両８００ｂ及び車両８００ａがある場合、中継局１０６ａは車両８００ａに設置され、中継局１０６ｂは車両８００ｂに設置され、中継局１０６ｃは車両８００ｃに設置されている。
【００５５】
列車内の中継局１０６ａ、中継局１０６ｂ及び中継局１０６ｃは、受信感度が高く、駅構内又は駅周辺のアクセスポイント１０２と接続できる。中継局１０６ａ、中継局１０６ｂ及び中継局１０６ｃ同士が繋がっている。このため、携帯電話１０１は、中継局１０６ａ、中継局１０６ｂ及び中継局１０６ｃのうちのどの中継局とも接続可能である。したがって、一つの中継局１０６ｂがホットスポットのアクセスポイント１０２と繋がったら、列車内のユーザがどこの車両に居ても、携帯電話１０１はそのアクセスポイント１０２と接続可能になる。
【００５６】
特に、列車が長く、列車に配置している中継局の受信能力も高い場合、どこの車両にある携帯電話１０１でも、駅構内、もしくは駅周辺のアクセスポイントと接続が可能である。また、列車内の携帯電話１０１が直接ホットスポットのアクセスポイント１０２と繋がった場合、車内の中継局１０６ａを介して通信するか、直接アクセスポイント１０２と通信するかの選択が可能であってもよい。
【００５７】
実施形態５における通信システムの動作につき、図１１を参照して説明する。図１１は、３つの車両を有する列車が３つの駅に停車した場合の概略図である。３つの車両が連なった列車９００が、第１の駅５００、第２の駅６００及び第３の駅７００に順に停車する。
【００５８】
列車９００が第１の駅５００に停車しているときについて説明する。列車９００内の中継局１０６ａがアクセスポイント２０１と接続する。列車９００内のＷＬＡＮ搭載携帯電話は、駅構内のアクセスポイント２０１と直接接続可能であるとともに、中継局１０６ａとも接続可能となっている。このとき、列車９００内のＷＬＡＮ搭載携帯電話は、直接アクセスポイント２０１と接続するか、中継局１０６ａを介してアクセスポイント２０１と接続することを選択できる。
【００５９】
一方、列車９００内の別の車両にある中継局１０６ｃはアクセスポイント２０２と接続されている。この場合、列車９００内のＷＬＡＮ搭載携帯電話は、アクセスポイント２０２とも接続可能である。但し、列車９００内のＷＬＡＮ搭載携帯電話は、アクセスポイント２０１とアクセスポイント２０２とのどちらの１つと接続する。
【００６０】
列車９００が第２の駅６００に停車しているときについて説明する。列車９００内の中継局１０６ｂはアクセスポイント２０３と接続され、中継局１０６ｃはアクセスポイント２０４と接続されている。このとき、列車９００内のＷＬＡＮ搭載携帯電話は、アクセスポイント２０３又はアクセスポイント２０４のいずれかと接続可能となる。
【００６１】
列車９００が第３の駅７００に停車しているときについて説明する。列車９００内の中継局１０６ａは、アクセスポイント２０５及びアクセスポイント２０６の両方と接続されている。この場合、列車９００内のＷＬＡＮ搭載携帯電話は、アクセスポイント２０５又はアクセスポイント２０６のいずれかと接続可能となる。
【００６２】
なお、実施形態３から実施形態５においては、車両外中継器がホットスポットのアクセスポイントである場合について説明したが、これに限定されない。例えば、アクセスポイントに代えて、個人のサイト又は特定のデータベースと通信を行ってもよい。
【００６３】
列車が長く、各車両に受信感度が高い中継局１０６ａ、１０６ｂ及び１０６ｃが搭載されているため、駅周辺のホットスポットのアクセスポイントと接続することができる。一般ユーザのＷＬＡＮ機能搭載携帯電話では、２０ｍ以上離れるホットスポットのアクセスポイントとの接続はほぼ不可能である。しかも、手持ちの携帯電話は一般的に１０ｄＢｍ以上感度が落ちる。この場合、列車内の携帯電話は駅周辺のホットスポットのアクセスポイントと繋がるのは不可能だけではなく、駅構内のホットスポットのアクセスポイントと繋がることも困難であることが予想される。
【００６４】
しかし、本発明では、どの車両内の携帯電話であっても駅構内のアクセスポイントと接続可能なだけではなく、駅周辺のアクセスポイントとの接続も可能になる。駅から離れた位置に設定されているアクセスポイントとの接続については中継局１０６ａ、中継局１０６ｂ及び中継局１０６ｃの性能によるが、一つの駅で一遍に沢山のホットスポットのアクセスポイントとの接続が可能となる。列車内の携帯電話のユーザにとって、情報収集が非常にしやすくなる。
【産業上の利用可能性】
【００６５】
本発明は情報通信産業に利用することができる。
【００６６】
（付記１）  無線通信を行う端末装置と、
前記端末装置を輸送する輸送車両の経路周辺に設置され、前記端末装置と無線通信を行い、前記端末装置の認証情報を送信し、前記端末装置と公衆通信網を中継する車両外中継器と、
前記車両外中継器からの認証情報を受信し、受信した認証情報が予め登録された認証情報と一致するか否かを判定し、一致すると判定した前記端末装置を公衆通信網に接続する認証サーバと、
を備える通信システム。
【００６７】
（付記２）  前記輸送車両内に設置される車両内中継器をさらに備え、
前記端末装置は、前記車両内中継器に前記端末装置の認証情報を送信し、
前記車両内中継器は、前記車両外中継器に前記端末装置の認証情報を送信し、前記端末装置及び前記車両外中継器間の通信を中継し、
前記車両外中継器は、前記車両内中継器からの前記認証情報を前記認証サーバへ送信し、前記車両内中継器及び前記認証サーバ間の通信を中継する
ことを特徴とする付記１に記載の通信システム。
【００６８】
（付記３）  互いに通信可能な前記車両内中継器を複数備え、
前記端末装置は、前記車両内中継器のうちのいずれかに前記端末装置の認証情報を送信し、
前記車両内中継器のうちの他のいずれかは、前記車両外中継器に前記端末装置の認証情報を送信し、前記端末装置及び前記車両外中継器間の通信を中継することを特徴とする付記２に記載の通信システム。
【００６９】
（付記４）  前記端末装置は、前記車両内中継器と無線通信を行うか又は前記車両外中継器と無線通信を行うかを選択可能であることを特徴とする付記２又は３に記載の通信システム。
【００７０】
（付記５）  端末装置の認証情報を輸送車両の経路周辺に設置された車両外中継器に送信し、前記認証情報を前記車両外中継器から認証サーバに転送し、転送された前記認証情報が予め登録された認証情報と一致するか否かを前記認証サーバで判定し、一致すると判定した場合には、前記端末装置を公衆通信網に接続する接続手順を有する通信システムの通信方法。
【００７１】
（付記６）  前記接続手順において、端末装置の認証情報を輸送車両内に設置された車両内中継器に送信し、前記認証情報を前記車両内中継器から前記車両外中継器に転送した後に、前記認証情報を前記車両外中継器から認証サーバに転送することを特徴とする付記５に記載の通信システムの通信方法。
【００７２】
（付記７）  前記接続手順において、前記端末装置の認証情報を、前記端末装置から複数の前記車両内中継器のうちのいずれかに送信した後、複数の前記車両内中継器のうちの他のいずれかから前記車両外中継器に送信することを特徴とする付記６に記載の通信システムの通信方法。
【００７３】
（付記８）  前記輸送車両の前記中継器と無線通信を行うか又は前記輸送車両の経路周辺に設置された前記中継器と無線通信を行うかを選択する中継器選択手順を、
前記接続手順の前にさらに有することを特徴とする付記６又は７に記載の通信システムの通信方法。
【００７４】
（付記９）  輸送車両の経路周辺に設置される車両外中継器と通信を行い、前記車両外中継器に認証情報を送信し、前記認証情報が認証サーバで一致すると判定されると、前記車両外中継器を介して公衆通信網と接続される端末中継器間通信部
を備える端末装置。
【００７５】
（付記１０）  前記端末中継器間通信部は、前記輸送車両内に設置される車両内中継器と通信を行い、前記車両内中継器及び前記車両外中継器を中継して前記認証サーバに送信された前記認証情報が一致すると判定されると、前記車両内中継器及び前記車両外中継器を介して公衆通信網と接続される付記９に記載の端末装置。
【００７６】
（付記１１）  前記車両内中継器と無線通信を行うか又は前記車両外中継器と無線通信を行うかを選択する選択部をさらに備えることを特徴とする付記１０に記載の端末装置。
【００７７】
（付記１２）  輸送車両の経路周辺に設置される車両外中継器と通信を行い、前記車両外中継器に認証情報を送信し、前記認証情報が認証サーバで一致すると判定されると、前記車両外中継器を介して公衆通信網と接続する端末接続手順
を有する端末装置の通信方法。
【００７８】
（付記１３）  前記端末接続手順において、前記輸送車両内に設置される車両内中継器と通信を行い、前記車両内中継器及び前記車両外中継器を中継して前記認証サーバに送信された前記認証情報が一致すると判定されると、前記車両内中継器及び前記車両外中継器を介して公衆通信網と接続する付記１２に記載の端末装置の通信方法。
【００７９】
（付記１４）  前記端末接続手順において、前記車両内中継器と無線通信を行うか又は前記車両外中継器と無線通信を行うかを選択することを特徴とする付記１３に記載の端末装置の通信方法。
【００８０】
（付記１５）  端末中継器間通信部が、輸送車両の経路周辺に設置される車両外中継器と通信を行い、前記車両外中継器に認証情報を送信し、前記認証情報が認証サーバで一致すると判定されると、前記車両外中継器を介して公衆通信網と接続する端末接続手順
を端末装置に実行させる端末装置の通信プログラム。
【００８１】
（付記１６）  前記端末接続手順において、前記端末中継器間通信部は、前記輸送車両内に設置される車両内中継器と通信を行い、前記車両内中継器及び前記車両外中継器を中継して前記認証サーバに送信された前記認証情報が一致すると判定されると、前記車両内中継器及び前記車両外中継器を介して公衆通信網と接続する付記１５に記載の端末装置の通信プログラム。
【００８２】
（付記１７）  前記端末接続手順において、選択部が、前記車両内中継器と無線通信を行うか又は前記車両外中継器と無線通信を行うかを選択することを特徴とする付記１６に記載の端末装置の通信プログラム。
【００８３】
（付記１８）  輸送車両内の端末装置から前記端末装置の認証情報を受信し、前記端末装置と公衆通信網の間の通信を中継する中継器端末間通信部と、
前記中継器端末間通信部の受信する認証情報を認証サーバに送信し、前記認証情報が認証サーバで一致すると判定されると、前記端末装置と公衆通信網の間の通信を中継する中継器サーバ間通信部と、
を備える車両外中継器。
【００８４】
（付記１９）  前記中継器端末間通信部は、前記輸送車両内に設置される車両内中継器を介して前記端末装置の認証情報を受信し、前記車両内中継器と公衆通信網の間の通信を中継する
ことを特徴とする付記１８に記載の車両外中継器。
【００８５】
（付記２０）  端末装置の認証情報を受信し、前記認証情報を認証サーバに転送し、転送された前記認証情報が予め登録された認証情報と一致すると判定されると、前記端末装置と公衆通信網の間の通信を中継する中継手順を有する車両外中継器の通信方法。
【００８６】
（付記２１）  前記中継手順において、前記輸送車両内に設置される車両内中継器を介して前記端末装置の認証情報を受信し、前記車両内中継器と公衆通信網の間の通信を中継する
ことを特徴とする付記２０に記載の車両外中継器の通信方法。
【００８７】
（付記２２）  中継器端末間通信部が端末装置の認証情報を受信し、中継器サーバ間通信部が前記認証情報を認証サーバに転送し、転送された前記認証情報が予め登録された認証情報と一致すると判定されると、前記中継器端末間通信部及び前記中継器サーバ間通信部が前記端末装置と公衆通信網の間の通信を中継する中継手順を車両外中継器に実行させる車両外中継器の通信プログラム。
【００８８】
（付記２３）  前記中継手順において、前記中継器端末間通信部は、前記輸送車両内に設置される車両内中継器を介して前記端末装置の認証情報を受信し、前記車両内中継器と公衆通信網の間の通信を中継する
ことを特徴とする付記２２に記載の車両外中継器の通信プログラム。
【００８９】
（付記２４）  端末装置を輸送する輸送車両の経路周辺に設置された車両外中継器から、前記端末装置の認証情報を受信するサーバ中継器間通信部と、
前記サーバ中継器間通信部の受信した前記認証情報が予め登録された認証情報と一致するか否かを判定する認証部と、
前記認証部が一致すると判定すると、前記端末装置と公衆通信網を接続する公衆通信網間通信部と、
を備える認証サーバ。
【００９０】
（付記２５）  端末装置の輸送車両の経路周辺に設置された車両外中継器から送信された前記端末装置の認証情報を受信し、受信した前記認証情報が予め登録された認証情報と一致するか否かを判定し、一致すると判定した場合には前記端末装置と公衆通信網を接続する公衆通信網接続手順を有する認証サーバの通信方法。
【００９１】
（付記２６）  端末装置の輸送車両の経路周辺に設置された車両外中継器から送信された前記端末装置の認証情報をサーバ中継器間通信部が受信し、受信した前記認証情報が予め登録された認証情報と一致するか否かを認証部が判定し、一致すると判定した場合には公衆通信網間通信部が前記端末装置と公衆通信網を接続する公衆通信網接続手順を認証サーバに実行させる認証サーバの通信プログラム。
【符号の説明】
【００９２】
１：端末装置
２：車両外中継器
３：認証サーバ
５：公衆通信網
６、６ａ、６ｂ：車両内中継器
１１：端末中継器間通信部
１５：選択部
２１：中継器端末間通信部
２２：中継器サーバ間通信部
３２：サーバ中継器間通信部
３３：認証部
３４：公衆通信網間通信部
６１ａ、６１ｂ：車両内外通信部
６６ａ、６６ｂ：車両間通信部
１０１：携帯端末
１０２、２０１、２０２、２０３、２０４、２０５、２０６：アクセスポイント
１０３：ＩＳＰ認証サーバ
１０４：ＩＳＰ顧客情報ＤＢ
１０５：インターネット
１０６、１０６ａ、１０６ｂ、１０６ｃ：中継局
５００：第１の駅
６００：第２の駅
７００：第３の駅
８００、８００ａ、８００ｂ、８００ｃ：車両
９００：列車
【図１】
2011124781.tif 000003
【図２】
2011124781.tif 000004
【図３】
2011124781.tif 000005
【図４】
2011124781.tif 000006
【図５】
2011124781.tif 000007
【図６】
2011124781.tif 000008
【図７】
2011124781.tif 000009
【図８】
2011124781.tif 000010
【図９】
2011124781.tif 000011
【図１０】
2011124781.tif 000012
【図１１】
2011124781.tif 000013